(57)【特許請求の範囲】
【請求項１】
内容物が収容される有底筒状の容器本体と、
該容器本体の口部に着脱自在に装着されるキャップ体と、
該キャップ体に装着されるとともに該キャップ体から前記容器本体の底部側に向けて突出し、先端に塗布部が配設された塗布具と、を備える塗布具付き容器であって、
前記キャップ体は、前記口部に容器軸回りに回転可能に装着され、
前記塗布具は、前記キャップ体に前記底部側に向けて前進移動可能に装着されるとともに付勢部材により前記底部側に向けて付勢され、前記塗布部が前記底部に圧接されることにより前進移動が規制され、
前記キャップ体および前記塗布具には、前記塗布具が前記キャップ体に対して前進端位置に位置するときに、容器軸方向に互いに係合し合うことで前記塗布具の更なる前進移動を規制する係合部が各別に配設され、
前記塗布具は、前記係合部により更なる前進移動が規制された状態で、前記付勢部材により前記底部側に向けて付勢され、
前記係合部は、前記塗布具から径方向に突設された係合凸部と、前記キャップ体に配設され内部に前記係合凸部が配置された係合凹部と、を備え、
前記係合凹部は、容器軸方向に延在し、前記底部側とは反対の反底部側に向けて開口する縦溝状に形成され、
前記キャップ体は、前記口部に外挿される本体筒部および前記本体筒部内に配置され前記係合凹部が形成された立ち上がり筒部を備え、
前記塗布具は、前記立ち上がり筒部内に容器軸方向に摺動自在に挿通され、前記係合凸部が径方向の外側に向けて突出する本体部を備え、
前記係合凸部は、前記本体部に形成された挿通孔に挿通されて径方向に延在するピン部材において、前記本体部から径方向の外側に突出する部分であり、
前記本体筒部には、前記本体筒部を径方向に貫通し、前記係合凹部に径方向に対向する開口部が形成されていることを特徴とする塗布具付き容器。
【請求項２】
請求項１に記載の塗布具付き容器であって、
前記キャップ体は、前記口部に対して容器軸回りに回転させられることにより該口部から離脱されることを特徴とする塗布具付き容器。
【発明の詳細な説明】
【技術分野】
【０００１】
本発明は、塗布具付き容器に関する。
【背景技術】
【０００２】
従来から、下記特許文献１に示すような塗布具付き容器が知られているが、この種の塗布具付容器として一般に、内容物が収容される有底筒状の容器本体と、該容器本体の口部に着脱自在に装着されるキャップ体と、該キャップ体に装着されるとともに該キャップ体から容器本体の底部側に向けて突出し、先端に塗布部が配設された塗布具と、を備える構成が知られている。前記塗布部は、容器本体内の内容物内に挿入されており、塗布部は、例えば含浸または付着などにより内容物を保持している。
前記塗布具付き容器を使用するときには、まず、キャップ体を塗布具とともに容器本体から離脱させる。すると塗布部が、内容物を保持した状態で容器本体内から引き出されることとなり、その後、塗布部に保持された内容物を被塗布部に塗布する。
【先行技術文献】
【特許文献】
【０００３】
【特許文献１】実開平５−１４１１号公報
【発明の概要】
【発明が解決しようとする課題】
【０００４】
しかしながら、前記従来の塗布具付き容器では、容器本体内の内容物が減少すると、塗布部が内容物を保持し難くなることから、容器本体内の内容物を使い切ることが困難であった。
【０００５】
本発明は、前述した事情に鑑みてなされたものであって、その目的は、容器本体内の内容物が減少しても塗布部に内容物を保持させ易くして、残量を低減させることができる塗布具付き容器を提供することである。
【課題を解決するための手段】
【０００６】
前記課題を解決するために、本発明は以下の手段を提案している。
本発明に係る塗布具付き容器は、内容物が収容される有底筒状の容器本体と、該容器本体の口部に着脱自在に装着されるキャップ体と、該キャップ体に装着されるとともに該キャップ体から前記容器本体の底部側に向けて突出し、先端に塗布部が配設された塗布具と、を備える塗布具付き容器であって、前記キャップ体は、前記口部に容器軸回りに回転可能に装着され、前記塗布具は、前記キャップ体に前記底部側に向けて前進移動可能に装着されるとともに付勢部材により前記底部側に向けて付勢され、前記塗布部が前記底部に圧接されることにより前進移動が規制され、前記キャップ体および前記塗布具には、前記塗布具が前記キャップ体に対して前進端位置に位置するときに、容器軸方向に互いに係合し合うことで前記塗布具の更なる前進移動を規制する係合部が各別に配設され、前記塗布具は、前記係合部により更なる前進移動が規制された状態で、前記付勢部材により前記底部側に向けて付勢され、前記係合部は、前記塗布具から径方向に突設された係合凸部と、前記キャップ体に配設され内部に前記係合凸部が配置された係合凹部と、を備え、前記係合凹部は、容器軸方向に延在し、前記底部側とは反対の反底部側に向けて開口する縦溝状に形成され、前記キャップ体は、前記口部に外挿される本体筒部および前記本体筒部内に配置され前記係合凹部が形成された立ち上がり筒部を備え、前記塗布具は、前記立ち上がり筒部内に容器軸方向に摺動自在に挿通され、前記係合凸部が径方向の外側に向けて突出する本体部を備え、前記係合凸部は、前記本体部に形成された挿通孔に挿通されて径方向に延在するピン部材において、前記本体部から径方向の外側に突出する部分であり、前記本体筒部には、前記本体筒部を径方向に貫通し、前記係合凹部に径方向に対向する開口部が形成されていることを特徴とする。
【０００７】
この発明では、内容物を塗布する際、容器本体からキャップ体を離脱させるために、キャップ体を容器本体に対して、前記底部側とは反対の反底部側に移動させると、塗布具も前記反底部側に移動しようとする。すると、容器本体の底部による塗布具の前進移動の規制が解除され、塗布具が、付勢部材の付勢力によりキャップ体に対して前記底部側に前進移動させられる。
そして、塗布具が前進端位置まで前進移動させられた後には、塗布具も、キャップ体と一体に前記反底部側へ移動させられ、これらのキャップ体および塗布具が容器本体から離脱される。
【０００８】
以上のように、キャップ体を容器本体から離脱させるときに、塗布具が、付勢部材の付勢力によりキャップ体に対して前記底部側に前進移動させられるので、塗布部の容器軸方向の位置を同等に維持し、塗布部を前記底部側に継続して位置させ易くすることができる。これにより、容器本体内の内容物が減少したときであっても、塗布部に内容物を保持させ易くすることができる。
またキャップ体が、容器本体の口部に容器軸回りに回転可能に装着されているので、塗布具の塗布部を、容器本体の底部に圧接させた状態でキャップ体とともに容器本体に対して容器軸回りに回転させることが可能になり、容器本体内の内容物が減少したときであっても、容器本体の底部上の内容物を、塗布部に保持させ易くすることができる。
以上より、容器本体内の内容物が減少したときであっても、塗布部に内容物を保持させ易くすることが可能になり、残量を低減させることができる。
【００１０】
また、塗布具が、係合部により更なる前進移動が規制された状態で、付勢部材により前記底部側に向けて付勢されるので、塗布部を被塗布部に押し当てて内容物を塗布する際に、塗布具が後退させられるのを抑制することが可能になり、内容物を容易に塗布することができる。
【００１２】
また、係合凹部が、容器軸方向に延在する縦溝状に形成されているので、塗布具が、キャップ体に対して前記底部側に前進移動させられるときに、係合凸部が係合凹部に案内されながら容器軸方向に移動することとなり、塗布具を容器軸方向に円滑に前進移動させることができる。
【００１３】
また前記キャップ体は、前記口部に対して容器軸回りに回転させられることにより該口部から離脱されていてもよい。
【００１４】
この場合、キャップ体が、容器本体の口部に対して容器軸回りに回転させられることにより該口部から離脱されるので、キャップ体を容器本体から離脱させるときに、塗布具の塗布部を、容器本体の底部に圧接させた状態でキャップ体とともに容器本体に対して容器軸回りに回転させることが可能になり、内容物を効率良く容器本体から取り出すことができる。
【発明の効果】
【００１５】
本発明に係る塗布具付き容器によれば、容器本体内の内容物が減少しても塗布部に内容物を保持させ易くして、残量を低減させることができる。
【図面の簡単な説明】
【００１６】
【図１】本発明の一実施形態に係る塗布具付き容器の縦断面図である。
【図２】図１に示す塗布具付き容器を構成する容器本体の要部の正面図である。
【図３】図１に示す塗布具付き容器の要部の側面図である。
【図４】図１に示す塗布具付き容器の作用を説明する縦断面図である。
【発明を実施するための形態】
【００１７】
以下、図面を参照し、本発明の一実施形態に係る塗布具付き容器を説明する。
図１に示すように、塗布具付き容器１０は、内容物が収容される有底筒状の容器本体１１と、該容器本体１１の口部１２に着脱自在に装着されるキャップ体１４と、該キャップ体１４に装着されるとともに該キャップ体１４から下側（底部側）に向けて突出し、先端に塗布部１６が配設された塗布具１７と、を備えている。
【００１８】
なお前記内容物としては、例えば液状体や粉状体などを採用することが可能である。
また、容器本体１１およびキャップ体１４の各中心軸線は、共通軸上に位置している。以下、この共通軸を容器軸Ｏといい、容器軸Ｏに沿ってキャップ体１４側を上側（反底部側）といい、容器本体１１の底部１５側を下側といい、容器軸Ｏに直交する方向を径方向といい、容器軸Ｏ回りに周回する方向を周方向という。
【００１９】
容器本体１１は、前記口部１２および前記底部１５と、口部１２よりも大径とされ下端開口が底部１５により閉塞された胴部１８と、口部１２の下端と胴部１８の上端とを連結する肩部１９と、を備えている。
なお容器本体１１の外面には、例えば蒸着などにより遮光膜が形成されていてもよい。この場合、例えば遮光膜を、胴部１８の外周面に全面にわたって形成する一方で底部１５に形成しないことで、容器本体１１の内部を、底部１５を通して視認可能にすること等が可能になる。
【００２０】
図２に示すように、容器本体１１の口部１２の外周面には、後述する内部材３１の爪部３５ａが配置される配置凹部２１が、周方向に間隔をあけて複数設けられている。配置凹部２１は、前記口部１２の外周面上に形成された凹部画成部２２と、前記肩部１９と、の間に画成されている。凹部画成部２２は、周方向に間隔をあけて複数配置されている。
【００２１】
凹部画成部２２は、容器軸Ｏ方向に沿って延設されるとともに下端が前記肩部１９に連結された第１突条部２３と、第１突条部２３の上端から周方向に延在する第２突条部２４と、第２突条部２４における周方向の中間部から下方に向けて延設され下端が前記肩部１９に連結された第３突条部２５と、を備えている。これらの第１突条部２３、第２突条部２４および第３突条部２５と、肩部１９と、の間に画成される空間が、前記配置凹部２１となっている。
【００２２】
なお、全ての凹部画成部２２における各第２突条部２４は、各第１突条部２３から周方向のうちの同一方向に向けて螺旋をなすように延設されている。
また、第３突条部２５における前記口部１２の外周面からの突出量は、第１突条部２３における前記口部１２の外周面からの突出量よりも小さくなっている。
【００２３】
図１に示すように、容器本体１１の口部１２内には、塗布具１７に付着した余分な内容物をしごき落とすしごき部材２６が配設されている。しごき部材２６は、前記口部１２内に嵌合された嵌合筒部２７と、嵌合筒部２７から径方向の内側に向けて突設されたしごき片２８と、を備えている。これらの嵌合筒部２７およびしごき片２８は、一体に形成されるとともに、容器軸Ｏと同軸に配置されている。
【００２４】
嵌合筒部２７の上端には、径方向の外側に向けて突出する外フランジ部２９が設けられており、この外フランジ部２９は、前記口部１２の開口端縁上に配置されている。また嵌合筒部２７の下端には、径方向の外側に向けて突出し、口部１２の下端に当接もしくは近接する規制凸部３０が形成されている。
しごき片２８は、周方向の全周にわたって延在するとともに、径方向の内側に向かうに従い漸次、下方に向けて延在している。
【００２５】
キャップ体１４は、容器本体１１の口部１２に容器軸Ｏ回りに回転可能に装着されるとともに、該口部１２に対する回転に伴って塗布具１７を容器軸Ｏ回りに回転させる。また本実施形態では、キャップ体１４は、容器本体１１の口部１２に対して容器軸Ｏ回りに回転させられることにより該口部１２に着脱される。
該キャップ体１４は、前記口部１２に着脱自在に装着された内部材３１と、該内部材３１に装着され、前記塗布具１７が液密に挿通されるとともに前記しごき片２８に上方から液密に当接する筒状のシール部材３２と、内部材３１に外挿された有頂筒状の外部材３３と、を備えており、これらのシール部材３２および外部材３３は、容器軸Ｏと同軸に配置されている。
【００２６】
内部材３１は、下端部が口部１２に外挿された本体筒部３５と、本体筒部３５から径方向の内側に向けて突設されたフランジ部３６と、フランジ部３６から上方に向けて延設された立ち上がり筒部３７と、フランジ部３６から下方に向けて延設された取付け筒部３８と、を備えている。これらの本体筒部３５、フランジ部３６、立ち上がり筒部３７、および取付け筒部３８は、容器軸Ｏと同軸に配置されている。
【００２７】
本体筒部３５の下端部には、径方向の内側に向けて突出する爪部３５ａが設けられている。爪部３５ａは、容器本体１１の口部１２における前記配置凹部２１と対応して、周方向に間隔をあけて複数配設されており、各爪部３５ａは、当該爪部３５ａに対応する配置凹部２１内に各別に配置されている。
また、内部材３１において下端部よりも上側に位置する部分には、径方向に貫通する開口部３５ｂが形成されている。図示の例では、開口部３５ｂは、容器軸Ｏ方向に延在するとともに上方に向けて開口している。
【００２８】
立ち上がり筒部３７は、フランジ部３６の内周縁に立設されており、立ち上がり筒部３７の上端は、本体筒部３５の上端よりも下側に位置している。立ち上がり筒部３７には、図１および図３に示すように、容器軸Ｏ方向に延在する縦溝状に形成された係合凹部４０が形成されている。係合凹部４０は、容器軸Ｏを径方向に挟むように一対配設されるとともに、本体筒部３５の前記開口部３５ｂに径方向に対向している。また係合凹部４０は、径方向に貫通するとともに上方に向けて開口している。
【００２９】
図１に示すように、取付け筒部３８は、前記嵌合筒部２７の上端部内に位置しており、この取付け筒部３８に前記シール部材３２が装着されている。シール部材３２の上端面には、容器軸Ｏと同軸に配置された環状溝３２ａが上方に向けて開口しており、この環状溝３２ａ内に取付け筒部３８が嵌合されている。また、シール部材３２の下側部分の外径は、上方から下方に向かうに従い漸次、小さくなっており、この下側部分の外周面が、しごき片２８の上面に液密に当接している。
【００３０】
外部材３３の容器軸Ｏ方向に沿った大きさは、内部材３１の本体筒部３５の容器軸Ｏ方向に沿った大きさと同等となっており、外部材３３は、本体筒部３５に対する容器軸Ｏ回りの回転が規制された状態で、本体筒部３５に外嵌されている。
また、外部材３３の頂壁部３３ａには、下方に向けて延在する垂下筒部４１が、容器軸Ｏと同軸に配設されている。垂下筒部４１の下端は、前記立ち上がり筒部３７の上端よりも上方に位置しており、垂下筒部４１の下端と立ち上がり筒部３７の上端とは、間に隙間をあけた状態で容器軸Ｏ方向に近接または当接している。
【００３１】
そして本実施形態では、塗布具１７は、キャップ体１４に下方に向けて前進移動可能に装着されるとともに付勢部材４２により下方に向けて付勢され、塗布部１６が容器本体１１の底部１５に圧接されることにより前進移動が規制されている。
塗布具１７は、容器軸Ｏ方向に延在する棒状の本体部４３と、前記塗布部１６と、を備えている。
【００３２】
本体部４３は容器軸Ｏと同軸に配置されており、本体部４３の上側部分４３ｂは、前記垂下筒部４１内、前記立ち上がり筒部３７内、および前記シール部材３２内に容器軸Ｏ方向に摺動自在に挿通されている。本体部４３の上側部分４３ｂの外周面は、前述した垂下筒部４１、立ち上がり筒部３７およびシール部材３２の各内周面のうち、少なくともシール部材３２の内周面に液密に当接している。
【００３３】
また、本体部４３の下側部分４３ａは、前記上側部分４３ｂよりも大径とされ、本体部４３において、これらの上側部分４３ｂと下側部分４３ａとを連結する段部には、シール部材３２の下端が当接している。
塗布部１６は、本体部４３の下端に装着されるとともに、弾性変形可能なヘラ状に形成され、容器本体１１の底部１５に圧接させられた状態で、折り曲げられて弾性変形させられている。また塗布部１６の基端部は、容器軸Ｏ上に位置し、塗布部１６は、基端部から先端部に向かうに従い漸次、径方向の外側に向けて延在している。
【００３４】
ここで、本体部４３の前記上側部分４３ｂには、径方向に延在するピン部材４４が貫設されている。ピン部材４４は、前記上側部分４３ｂを径方向に貫通する挿通孔４５に挿通されており、例えば、内部材３１の前記開口部３５ｂを通して内部材３１の外部から内部に進入させた後、前記挿通孔４５に挿通させることができる。
【００３５】
このピン部材４４において、本体部４３から径方向の外側に突出する部分である係合凸部４６は、容器軸Ｏを径方向に挟むように一対配設されており、これらの係合凸部４６はそれぞれ、立ち上がり筒部３７の係合凹部４０内に各別に配置されている。また図示の例では、係合凸部４６は係合凹部４０の上端縁よりも下方に位置し、係合凸部４６における径方向の外側の外端部４６ａは、係合凹部４０から径方向の外側に張り出している。また係合凸部４６と、係合凹部４０を画成する壁面のうち、上方を向く規制壁面４７と、の間には、容器軸Ｏ方向に隙間があいている。
【００３６】
付勢部材４２は、容器軸Ｏ方向に弾性変形された状態で、キャップ体１４と塗布具１７との間に配設されている。本実施形態では、付勢部材４２は、容器軸Ｏと同軸に配置された筒状に形成されるとともにキャップ体１４の前記垂下筒部４１に外挿され、付勢部材４２の下端は、係合凸部４６の前記外端部４６ａに当接し、付勢部材４２の上端は、外部材３３の頂壁部３３ａに当接している。なお付勢部材４２は、例えば樹脂ばね、金属ばね（コイルスプリング等）、ゴム製部材、エラストマー樹脂製部材等により構成することが可能であるとともに、例えば外部材３３等と一体に成形することも可能である。
【００３７】
次に、前記塗布具付き容器１０の作用について説明する。
内容物を塗布するため、キャップ体１４を容器本体１１から離脱させるときには、まずキャップ体１４を、容器本体１１の口部１２に対して容器軸Ｏ回りに回転させる。これにより、キャップ体１４の前記爪部３５ａが、前記凹部画成部２２の第３突条部２５（図２参照）を乗り越えることで、配置凹部２１から離脱される。
またこのとき、キャップ体１４の前記係合凹部４０を画成する壁面のうち、周方向を向く押圧壁面４８が係合凸部４６を周方向に押圧することで、キャップ体１４と塗布具１７とが容器軸Ｏ回りに共回りする。すると、塗布具１７の塗布部１６が、容器本体１１の底部１５に圧接された状態で容器軸Ｏ回りに回転させられる。
【００３８】
その後、キャップ体１４を容器本体１１に対して上方に離間移動させ、キャップ体１４の爪部３５ａに、前記口部１２において周方向に互いに隣り合う凹部画成部２２同士の間を通過させることで、キャップ体１４を前記口部１２から離脱させる。
このとき、キャップ体１４の容器本体１１に対する上方への移動に伴って、塗布具１７も上方に移動しようとする。すると、容器本体１１の底部１５による塗布具１７の前進移動の規制が解除されることとなり、塗布具１７の前記係合凸部４６が、キャップ体１４の前記係合凹部４０に案内されながら、塗布具１７が、付勢部材４２の付勢力によりキャップ体１４に対して下方に前進移動させられる。
【００３９】
そして図４に示すように、塗布具１７が前進端位置まで前進移動させられた後には、塗布具１７も、キャップ体１４と一体に上方へ移動させられ、これらのキャップ体１４および塗布具１７が容器本体１１から離脱される。その後、塗布部１６に保持された内容物を被塗布部に塗布する。
【００４０】
なお本実施形態では、塗布具１７がキャップ体１４に対して前進端位置に位置するときに、キャップ体１４の前記係合凹部４０と、塗布具１７の前記係合凸部４６と、が、容器軸Ｏ方向に互いに係合し合うことで塗布具１７の更なる前進移動を規制している。これらの係合凸部４６と係合凹部４０とは、係合凸部４６が、係合凹部４０の前記規制壁面４７に当接することにより、互いに係合し合っている。
そしてこのとき、塗布具１７は、係合凸部４６および係合凹部４０により更なる前進移動が規制された状態で、付勢部材４２により下方に向けて付勢されている。
【００４１】
以上説明したように、本実施形態に係る塗布具付き容器１０によれば、キャップ体１４を容器本体１１から離脱させるときに、塗布具１７が、付勢部材４２の付勢力によりキャップ体１４に対して下方に前進移動させられるので、塗布部１６の容器軸Ｏ方向の位置を同等に維持し、塗布部１６を下方に継続して位置させ易くすることができる。これにより、容器本体１１内の内容物が減少したときであっても、塗布部１６に内容物を保持させ易くすることができる。
またキャップ体１４が、容器本体１１の口部１２に容器軸Ｏ回りに回転可能に装着されているので、塗布具１７の塗布部１６を、容器本体１１の底部１５に圧接させた状態でキャップ体１４とともに容器本体１１に対して容器軸Ｏ回りに回転させることが可能になり、容器本体１１内の内容物が減少したときであっても、容器本体１１の底部１５上の内容物を、塗布部１６に保持させ易くすることができる。
以上より、容器本体１１内の内容物が減少したときであっても、塗布部１６に内容物を保持させ易くすることが可能になり、残量を低減させることができる。
【００４２】
また、キャップ体１４が、容器本体１１の口部１２に対して容器軸Ｏ回りに回転させられることにより該口部１２から離脱されるので、キャップ体１４を容器本体１１から離脱させるときに、塗布具１７の塗布部１６を、容器本体１１の底部１５に圧接させた状態でキャップ体１４とともに容器本体１１に対して容器軸Ｏ回りに回転させることが可能になり、内容物を効率良く容器本体１１から取り出すことができる。
【００４３】
さらに係合凹部４０が、容器軸Ｏ方向に延在する縦溝状に形成されているので、塗布具１７が、キャップ体１４に対して下方に前進移動させられるときに、係合凸部４６が係合凹部４０に案内されながら容器軸Ｏ方向に移動することとなり、塗布具１７を容器軸Ｏ方向に円滑に前進移動させることができる。
【００４４】
また塗布具１７が、係合凸部４６および係合凹部４０により更なる前進移動が規制された状態で、付勢部材４２により下方に向けて付勢されているので、塗布部１６を被塗布部に押し当てて内容物を塗布する際に、塗布具１７が後退させられるのを抑制することが可能になり、内容物を容易に塗布することができる。
【００４５】
なお、本発明の技術的範囲は前記実施形態に限定されるものではなく、本発明の趣旨を逸脱しない範囲において種々の変更を加えることが可能である。
例えば、しごき部材２６およびシール部材３２はなくてもよい。
【００４６】
また、塗布部１６は前記実施形態に示したものに限られず、例えば含浸または付着などにより内容物を保持する他の構成等を適宜採用することが可能である。例えば、塗布部として、基部材にフロッキー加工を施すことにより、基部材の表面に植毛部が形成されてなる構成を採用してもよい。また塗布部として、スポンジ状や匙（スパチュラ）状、ブラシ状の構成などを採用することも可能である。
【００４７】
また前記実施形態では、付勢部材４２の下端が、係合凸部４６の前記外端部４６ａに当接しているものとしたが、これに限られない。例えば、付勢部材４２が、垂下筒部４１の内部に配置され、付勢部材４２の下端が、塗布具１７の本体部４３の上端面に当接していてもよい。
さらに前記実施形態では、塗布具１７の本体部４３にピン部材４４が貫設され、ピン部材４４において、本体部４３から径方向の外側に突出する部分が前記係合凸部４６であるものとしたが、本発明の参考例では、これに限られない。例えば、本体部４３と係合凸部４６とが一体成形されていてもよい。
【００４８】
また前記実施形態では、キャップ体１４を容器本体１１の口部１２に対して回転させるときに、係合凹部４０の前記押圧壁面４８が係合凸部４６を周方向に押圧することで、キャップ体１４と塗布具１７とが容器軸Ｏ回りに共回りするものとしたが、キャップ体１４および塗布具１７に、塗布具１７に対するキャップ体１４の容器軸Ｏ回りの回転を規制する回転規制部を、係合凹部４０および係合凸部４６とは別途、設けることも可能である。
【００４９】
また前記実施形態では、塗布具１７に係合凸部４６が設けられ、キャップ体１４に係合凹部４０が設けられているものとしたが、本発明の参考例ではこれに限られず、塗布具１７に係合凹部４０が設けられ、キャップ体１４に係合凸部４６が設けられていてもよい。つまり、キャップ体および塗布具のうちのいずれか一方から径方向に突設された係合凸部と、他方に配設され内部に前記係合凸部が配置された係合凹部と、を備えていればよい。
【００５０】
また前記実施形態では、係合凹部４０が縦溝状に形成されているものとしたが、本発明の参考例では、これに限られない。例えば、係合凹部４０が周方向に延在する周溝状に形成されていてもよい。
さらに本発明の参考例では、係合凹部４０はなくてもよい。この場合、例えば、前記立ち上がり筒部３７を形成せずに、塗布具１７がキャップ体１４に対して前進端位置に位置するときに、係合凸部４６を、フランジ部３６の内周縁に係合させてもよい。
さらにまた、本発明の参考例では、係合凹部４０および係合凸部４６を設けることに代えて、キャップ体および塗布具に、塗布具がキャップ体に対して前進端位置に位置するときに、容器軸方向に互いに係合し合うことで塗布具の更なる前進移動を規制する係合部となる他の構成を各別に配設してもよい。
【００５１】
また前記実施形態では、容器本体１１の口部１２の前記配置凹部２１に、キャップ体１４の前記爪部３５ａが配置されることにより、キャップ体１４が前記口部１２に装着されているものとしたが、これに限られるものではなく、キャップ体１４として、口部１２に対して容器軸Ｏ回りに回転させられることにより口部１２に離脱される他の構成を適宜採用することが可能である。例えば、キャップ体１４および口部１２に雌ねじ部および雄ねじ部を各別に形成し、これらのキャップ体１４と口部１２とを螺着させてもよい。
さらに、キャップ体１４として、口部１２に容器軸Ｏ回りに回転可能に装着されている一方で、口部１２に対して容器軸Ｏ回りに回転させずに口部１２に着脱させることができる構成を採用してもよく、例えば、キャップ体１４が、口部１２に対して容器軸Ｏ回りに回転可能で、かつ着脱自在にアンダーカット嵌合されていてもよい。
【００５２】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５３】
１０  塗布具付き容器
１１  容器本体
１２  口部
１４  キャップ体
１５  底部
１６  塗布部
１７  塗布具
４０  係合凹部
４２  付勢部材
４６  係合凸部
Ｏ  容器軸
【図１】
0005798789.tif 000002
【図２】
0005798789.tif 000003
【図３】
0005798789.tif 000004
【図４】
0005798789.tif 000005